(57)【要約】      （修正有）【課題】  起動時電流や短時間過負荷動作時電流による遮断を防止するサーマルプロテクタ及びプロテクタを提供する。【解決手段】  固定接点２２を備える固定片２３と、固定接点２２と対をなす可動接点２４を備える可動片２５と、固定接点２２と可動接点２４とを離反及び接触させる機構とを有するサーマルプロテクタにおいて、前記可動片２５か、前記可動片１と接続している端子の、少なくとも一方に熱容量を増加させる突き出し部３が配置されていることを特徴とするサーマルプロテクタ。【選択図】図９
2006196443.tif 000002
【特許請求の範囲】
【請求項１】
固定接点６を備える固定片５と、固定接点６と対をなす可動接点２を備える可動片１と、固定接点６と可動接点２とを離反及び接触させる機構とを有するサーマルプロテクタにおいて、前記可動片１か、前記可動片１と接続している端子４の、少なくとも一方に突き出し部３が配置されていることを特徴とするサーマルプロテクタ。
【請求項２】
固定接点６を備える固定片５と、固定接点６と対をなす可動接点２を備える可動片１と、固定接点６と可動接点２とを離反及び接触させる機構とを有するサーマルプロテクタにおいて、前記固定片５か、前記固定片５と接続している端子４の、少なくとも一方に突き出し部３が配置されていることを特徴とするサーマルプロテクタ。
【請求項３】
過電流の遮断、制限を行う素子において、導体に突き出し部３が配置されていることを特徴とするプロテクタ。
【発明の詳細な説明】
【技術分野】
【０００１】
本発明は、電気電子機器及び電線、バスバーの過電流保護を行う部品（プロテクタ）に関する。
【背景技術】
【０００２】
従来、バイメタル製の熱応動素子を用いたサーマルプロテクタやヒューズ、ＰＴＣ等を用いた過電流保護部品は、自動車や家電製品のモーターの過電流や異常過熱の発生に際して、回路への電流を遮断して、回路の保全および機器の安全性を維持する保護部品として用いられている。
【０００３】
近年、電子機器や電気機器の小型化、高性能化に伴い、過電流保護部品は、その小型化が望まれてきている。例えば、携帯電話、ノート型パソコン等に用いられる２次電池用あるいは小型モーター等の電子機器用サーマルプロテクタとして使われている。又、充電器保護の電子機器用過電流保護部品や自動車用モーターの他、エアコンファン、洗濯機などの電気機器の汎用モーター用過電流保護部品として使用されている。
【０００４】
バイメタル製熱応動素子を用いたサーマルプロテクタの例がある（例えば、特許文献１〜２参照）。
【０００５】
【特許文献１】特開平５−１７４８０９号公報
【特許文献２】特開平９−１２０７６６号公報
【発明の開示】
【発明が解決しようとする課題】
【０００６】
従来の過電流保護装置では、回路の接続先部品の起動時電流ならびに短時間過負荷動作時の電流によって保護装置が動作してしまい、電流が遮断されてしまうことが問題となっている。また、モーターなどの接続先の機器によっては、短時間過負荷動作の電流と遮断までの時間が何種類か設定されており、過電流の程度に応じて遮断までの時間をある程度確保しなければならないが、昨今の小型化されたプロテクタでは、遮断までの時間の確保が難しいという問題が存在している。
【０００７】
そこで、本発明はプロテクタの設計に際して、従来の問題点を克服するプロテクタを見出したもので、過電流の遮断、制限を行う素子において、導体の一部に電気抵抗を低下させないような形状の突き出し部３を設けることにより、熱容量を増加させ、プロテクタの過電流時の遮断までの時間を確保することを目的とするものである。
【課題を解決するための手段】
【０００８】
本発明の課題は以下の手段により実現される。
［１］固定接点６を備える固定片５と、固定接点６と対をなす可動接点２を備える可動片１と、固定接点６と可動接点２とを離反及び接触させる機構とを有するサーマルプロテクタにおいて、前記可動片１か、前記可動片１と接続している端子４の、少なくとも一方に突き出し部３が配置されていることを特徴とするサーマルプロテクタ。
［２］固定接点６を備える固定片５と、固定接点６と対をなす可動接点２を備える可動片１と、固定接点６と可動接点２とを離反及び接触させる機構とを有するサーマルプロテクタにおいて、前記固定片５か、前記固定片５と接続している端子４の、少なくとも一方に突き出し部３が配置されていることを特徴とするサーマルプロテクタ。
［３］過電流の遮断、制限を行う素子において、導体に突き出し部３が配置されていることを特徴とするプロテクタ。
【発明の効果】
【０００９】
本発明によれば、回路の接続先部品の起動時電流ならびに短時間過負荷動作時の電流によって保護装置が動作してしまい、電流が遮断されてしまう様な問題が解消される。また、モーターなどの接続先機器の短時間過負荷動作に対し、遮断までの時間を確保することにより、保護装置の動作による電流が遮断されてしまう問題が解消される。よって産業上顕著な効果を奏する。
【発明を実施するための最良の形態】
【００１０】
以下に、図面を参照して本発明を詳細に説明する。
図１（ａ）〜（ｈ）は、本発明に係る可動片１の実施態様の例を示す断面図である。（ａ）〜（ｄ）、（ｇ）、（ｈ）は下から見た図であり、（ｅ）、（ｆ）は側面図である。（ａ）〜（ｅ）は導電材料からなる可動片１であり、（ｆ）〜（ｈ）はバイメタル又はトリメタルからなる可動片１である。
【００１１】
図２（ａ）〜（ｅ）は、本発明に係る固定片５の実施態様の例を示す断面図である。（ａ）〜（ｄ）は上から見た図であり、（ｅ）は側面図である。
【００１２】
図３（ａ）、（ｂ）は、従来の可動片１の実施態様の例を示す断面図である。（ａ）は側面図であり、（ｂ）は下から見た図である。図４（ａ）、（ｂ）は、従来の固定片５の実施態様の例を示す断面図である。（ａ）は上から見た図であり、（ｂ）は側面図である。
【００１３】
本発明に係る可動片１あるいは固定片５は導電材料からなる固定接点６を有する部品であり、従来と比較して突き出し部３を有する。前記突き出し部３は熱容量を増加させることにより過電流時の動作時間を延長させることができる。また、前記突き出し部３は電気抵抗をほとんど変化させない。
【００１４】
図５（ａ）〜（ｃ）は、本発明に係る端子４の実施態様の例を示す断面図である。（ａ）、（ｂ）は上から見た図であり、（ｃ）は側面図である。
【００１５】
図６（ａ）、（ｂ）は、従来の端子７の実施態様の例を示す断面図である。（ａ）は上から見た図であり、（ｂ）は側面図である。
【００１６】
本発明に係る端子４は導電材料からなり、可動片１および固定片５を接続して用いるものであり、従来と比較して突き出し部３を有する。前記突き出し部３は熱容量を増加させることにより過電流時の動作時間を延長させることができる。また、前記突き出し部３は電気抵抗をほとんど変化させない。
【００１７】
図７は、本発明に係るヒューズ９の実施態様の例を示す断面図である。図８は、本発明に係るポリスイッチ１０の実施態様の例を示す断面図である。前記ヒューズ９及びポリスイッチ１０は導電材料からなり、過電流の遮断、制限を行う機能を有する。ポリスイッチ１０は、２枚の金属電極で導電性ポリマーを挟みこんだ構造をしており、一般にはポリマーＰＴＣ（Positive Temperature Coefficient、正温度特性）素子と呼ばれている。ＰＴＣは、ある温度以上に達すると、電気抵抗が急激に増大する特性を有する。ポリスイッチ１０は、過電流が流れた場合に、ポリマー部分の抵抗が急激に増大して電流を制限する。そして、元電源が入ったままの場合、この高抵抗の状態を維持する。ポリスイッチ１０は、一旦電源を切り、素子が冷えれば、再び元の低抵抗の状態に復帰する。本発明に係るヒューズ９及びポリスイッチ１０は従来と比較して突き出し部３を有する。前記突き出し部３は熱容量を増加させることにより過電流時の動作時間を延長させることができる。また、前記突き出し部３は電気抵抗をほとんど変化させない。
【００１８】
図９（ａ）は、本発明に係るサーマルプロテクタの実施態様の第１例を示す斜視説明図である。枠体２１内に固定接点２２を備える固定片２３が配され、その上に固定接点２２と対をなす可動接点２４を備える可動片（バイメタル通電タイプ）２５が配され、固定接点２２と可動接点２４とは、可動片２５の温度上昇、それに伴う熱変形により離反又は接触して電気をオンオフする。可動片２５には突き出し部３が配置されており、この突き出し部３が可動片２５の熱容量を増加させるため前記可動片２５の熱変形が遅れ、その結果過電流時の動作時間が延長するという動作遅延効果が得られる。また、前記突き出し部３は電気抵抗をほとんど変化させない。従来の可動片４５は図９（ｂ）に示すように突き出し部が存在しないため前記動作時間延長効果が得られない。図９（ａ）で２６は枠体２１内を密閉するカバー、２７はカバー端子、２８は突起である。
【００１９】
図１０（ａ）は、本発明に係るサーマルプロテクタの実施態様の第２例を示す斜視説明図である。このサーマルプロテクタは可動片がバイメタル無通電タイプの可動片３０であり、突起２８との間に熱応動素子３１を介在させる他は、図９（ａ）に示したものと同じである。この可動片３０にも突き出し部３が配置されており、この突き出し部３により図９（ａ）に示したものと同様の動作遅延効果が得られる。従来の可動片４６は図１０（ｂ）に示すように突き出し部が存在しないため前記動作遅延効果が得られない。
熱応動素子３１はＰＴＣ１１（図８参照）でも良い。
【００２０】
図１１は、本発明に係るサーマルプロテクタの実施態様の第３例を示す斜視説明図である。このサーマルプロテクタは枠体２１内に、可動片３２が熱変形自在に配され、可動片３２には突き出し部３が配置されているので、図９（ａ）、図１０（ａ）に示したものと同様の動作遅延効果が得られる。
【００２１】
本願発明の突き出し部３を有すると、電気抵抗をほとんど変化させずに熱容量を増加させることができる。よって回路の接続先部品の起動時電流ならびに短時間過負荷動作時の電流によって保護装置が動作する問題が解消される。また、モーターなどの接続先機器の短時間過負荷動作に対し、遮断までの時間を確保することができる。これにより電流が遮断されてしまう問題が解消される。
【００２２】
本発明のプロテクタは電気電子機器に用いられる。さらに詳しくは、自動車、家電製品、携帯電話、エアコン等に適する。
【図面の簡単な説明】
【００２３】
【図１】本発明に係る可動片１の実施態様の例を示す断面図である。
【図２】本発明に係る固定片５の実施態様の例を示す断面図である。
【図３】従来の可動片１の実施態様の例を示す断面図である。
【図４】従来の固定片５の実施態様の例を示す断面図である。
【図５】本発明に係る端子４の実施態様の例を示す断面図である。
【図６】従来の端子７の実施態様の例を示す断面図である。
【図７】本発明に係るヒューズ９の実施態様の例を示す断面図である。
【図８】本発明に係るポリスイッチ１０の実施態様の例を示す斜視図である。
【図９】（ａ）は本発明に係るサーマルプロテクタの実施態様の第１例を示す斜視説明図、（ｂ）は従来のサーマルプロテクタに用いられる可動片の斜視図である。
【図１０】（ａ）は本発明に係るサーマルプロテクタの実施態様の第２例を示す斜視説明図、（ｂ）は従来のサーマルプロテクタに用いられる可動片の斜視図である。
【図１１】本発明に係るサーマルプロテクタの実施態様の第３例を示す部分斜視図である。
【符号の説明】
【００２４】
１      可動片
２      可動接点
３      突き出し部
４      端子
５      固定片
６      固定接点
７      従来の端子
８      可動片
９      ヒューズ
１０    ポリスイッチ
１１    ＰＴＣ
２１    枠体
２２    固定接点
２３    固定片
２４    可動接点
２５    可動片（バイメタル通電タイプ）
２６    密閉カバー
２７    カバー端子
２８    突起
３０    可動片（バイメタル無通電タイプ）
３１    熱応動素子
３２    可動片
４５    従来の可動片（バイメタル通電タイプ）
４６    従来の可動片（バイメタル無通電タイプ）
【図１】
2006196443.tif 000003
【図２】
2006196443.tif 000004
【図３】
2006196443.tif 000005
【図４】
2006196443.tif 000006
【図５】
2006196443.tif 000007
【図６】
2006196443.tif 000008
【図７】
2006196443.tif 000009
【図８】
2006196443.tif 000010
【図９】
2006196443.tif 000011
【図１０】
2006196443.tif 000012
【図１１】
2006196443.tif 000013